(57)【要約】
【課題】ＵＳＢコネクタを上蓋と下蓋によって構成される箱体から外に出した時と、箱体内に収納した時、安定して定位される機能を有する構造の提供。
【解決手段】上蓋２１には、鉤部２１１と鉤受部２１２を設け、下蓋２２には、鉤受部２２１を設け、前期鉤受部２２１と上蓋２１の鉤部２１１とをお互いに掛止し、前期電気回路板２４には、ＵＳＢコネクタ２４１を設け、上蓋２１と下蓋２２によって構成される箱体２の中に設置し、前記スライド部３と電気回路板２４を接合し、スライド部３を動かして電気回路板２４を動かした時、スライド部３の掛合部３２１と上蓋２１の鉤受部２１２とは、お互いに掛止され、ＵＳＢコネクタ２４１は、上蓋２１と下蓋２２によって構成される箱体２の外で定位され、前記上蓋２１には、定位部が設けられており、ＵＳＢコネクタ２４１を箱体２内に収納する時、前記スライド部３と定位部はお互いに掛止される。
【選択図】図３
0003101295.tif 000002
【実用新案登録請求の範囲】
【請求項１】
上蓋と下蓋と電気回路板とスライド部とを含み、
前期上蓋には、鉤部と鉤受部が設けられており、
前期下蓋には、鉤受部が設けられており、前期鉤受部と上蓋の鉤部とはお互いに掛止されており、
前期電気回路板は、上蓋と下蓋によって構成される箱体の中に設置されており、電気回路板上には、ＵＳＢコネクタが設けられており、
前期スライド部には、掛合部が設けられており、前記掛合部と上蓋の鉤受部とは掛止されており、
上蓋の鉤部と下蓋の鉤受部とが掛止されることにより、上蓋と下蓋はお互いに接合されていることを特徴とするＵＳＢ携帯型メモリ装置。
【請求項２】
前記電気回路上には、ライトプロテクトスイッチが設けられており、前記ライトプロテクトスイッチを操作することにより、データの書き込みを行うか否かを制御できることを特徴とする請求項1に記載のＵＳＢ携帯型メモリ装置。
【請求項３】
前記ライトプロテクトスイッチには、防塵片が設けられており、埃等が電気回路板に侵入することを防ぐことを特徴とする請求項２に記載のＵＳＢ携帯型メモリ装置。
【請求項４】
前記上蓋には、定位部が設けられており、上蓋と下蓋によって構成される箱体内にＵＳＢコネクタを引戻して収納する時、前記スライド部と定位部はお互いに掛合し、固定され、それにより、ＵＳＢコネクタは収納後、ぐらついて箱体内から抜け出すことがないことを特徴とする請求項1に記載のＵＳＢ携帯型メモリ装置。
【請求項５】
前記定位部は、定位凸粒であることを特徴とする請求項４に記載のＵＳＢ携帯型メモリ装置。
【請求項６】
前記定位部は、定位弾片であることを特徴とする請求項４に記載のＵＳＢ携帯型メモリ装置。
【請求項７】
前記定位部は、スプリングであることを特徴とする請求項４に記載のＵＳＢ携帯型メモリ装置。
【請求項８】
前記上蓋には、窓口が設けられており、スライド部と電気回路が組立られていることを特徴とする請求項１に記載のＵＳＢ携帯型メモリ装置。
【請求項９】
前記スライド部の掛合部は、弧形を呈しており、それにより、前記掛合部が上蓋の鉤受部に接合されやすいようになっていることを特徴とする請求項１に記載のＵＳＢ携帯型メモリ装置。
【請求項１０】
前記スライド部の掛合部の縦断面は、斜三角形を呈しており、それにより、前記掛合部が上蓋の鉤受部に掛止されやすいようになっていることを特徴とする請求項１に記載のＵＳＢ携帯型メモリ装置。
【請求項１１】
前記スライド部上には、凸粒が設けられており、スライド部を押出す時、前記凸粒により、スライド部との間の摩擦が増加し、容易にスライド部を押出すことができることを特徴とする請求項１に記載のＵＳＢ携帯型メモリ装置。
【請求項１２】
上蓋と下蓋と電気回路板とスライド部とを含み、
前記上蓋には、鉤受部が設けられており、
前記下蓋は、上蓋と接合され、箱体を形成しており、
前記電気回路板は、上蓋と下蓋によって構成される箱体内に設けられており、電気回路板上には、ＵＳＢコネクタが設けられており、
前記スライド部には、掛合部が設けられており、前記掛合部と上蓋の鉤受部とは掛止されており、
スライド部を押出し、ＵＳＢコネクタを上蓋と下蓋によって構成される箱体外に出す時、スライド部上の掛合部と上蓋の鉤受部とがお互いに掛止されることにより、ＵＳＢコネクタは定位され、それにより、ぐらついて上蓋と下蓋によって構成される箱体内に戻ってしまうことを防ぐことができることを特徴とするＵＳＢ携帯型メモリ装置。
【請求項１３】
前記電気回路板には、ライトプロテクトスイッチが設けられており、前記ライトプロテクトスイッチを操作することにより、データの書き込みを行うか否かを制御できることを特徴とする請求項1２に記載のＵＳＢ携帯型メモリ装置。
【請求項１４】
前記ライトプロテクトスイッチには、防塵片が設けられており、埃等が電気回路板に侵入することを防ぐことを特徴とする請求項１３に記載のＵＳＢ携帯型メモリ装置。
【請求項１５】
前記上蓋には、定位部が設けられており、上蓋と下蓋によって構成される箱体内にＵＳＢコネクタを引戻して収納する時、前記スライド部と定位部はお互いに掛合し、固定され、それにより、ＵＳＢコネクタは収納後、ぐらつくことがないことを特徴とする請求項1２に記載のＵＳＢ携帯型メモリ装置。
【請求項１６】
前記定位部は、定位凸粒であることを特徴とする請求項１５に記載のＵＳＢ携帯型メモリ装置。
【請求項１７】
前記定位部は、定位弾片であることを特徴とする請求項１５に記載のＵＳＢ携帯型メモリ装置。
【請求項１８】
前記定位部は、スプリングであることを特徴とする請求項１５に記載のＵＳＢ携帯型メモリ装置。
【請求項１９】
前記上蓋には、窓口が設けられており、スライド部と電気回路が組立られていることを特徴とする請求項１２に記載のＵＳＢ携帯型メモリ装置。
【請求項２０】
前記スライド部の掛合部は、弧形を呈しており、それにより、前記掛合部が上蓋の鉤受部に接合されやすいようになっていることを特徴とする請求項１２に記載のＵＳＢ携帯型メモリ装置。
【請求項２１】
前記スライド部の掛合部の縦断面は、斜三角形を呈しており、それにより、前記掛合部が上蓋の鉤受部に掛止されやすいようになっていることを特徴とする請求項１２に記載のＵＳＢ携帯型メモリ装置。
【請求項２２】
前記スライド部上には、凸粒が設けられており、スライド部を押出す時、前記凸粒により、スライド部との間の摩擦が増加し、容易にスライド部を押出すことができることを特徴とする請求項１２に記載のＵＳＢ携帯型メモリ装置。
【請求項２３】
前記上蓋には、鉤部が設けられており、下蓋と接合する時の利便性を増加させていることを特徴とする請求項１２に記載のＵＳＢ携帯型メモリ装置。
【請求項２４】
前記下蓋には、鉤受部が設けられており、上蓋の鉤部と掛止されていることを特徴とする請求項２３に記載のＵＳＢ携帯型メモリ装置。
【考案の詳細な説明】
【技術分野】
【０００１】
本考案は、ＵＳＢ携帯型メモリ装置に係り、特に上蓋には、鉤部、及び鉤受部が設けられており、下蓋には、鉤受部が設けられており、電気回路板には、ＵＳＢコネクタが設けられており、上蓋と下蓋によって構成される箱体内に設置されており、スライド部には、掛合部が設けられており、前記スライド部と電気回路板は、接合されていることを特徴とするＵＳＢ携帯型メモリ装置に関わる。
【背景技術】
【０００２】
本考案の考案者は、ＵＳＢ携帯型メモリ装置に対して更なる研究、改良を行い、中華民国申請案件番号第９１２１３４５９号「ＵＳＢ携帯型メモリ装置」を申請しており、図１，２は、前記案件の立体分解図、及び組立後の立体図であり、ケース１１は、上部ケース１１ａと下部ケース１１ｂによって構成されており、ケース１１内部には、ＵＳＢコネクタ１２１を具有する電気回路板１２が設置されており、押部１３の延伸部１３１は、ケース１１の窓口１１２に挿入されており、延伸部１３１上の孔体１３２は、電気回路板１２上の電子部品１２２に嵌入しており、押部１３と電子回路板は一体となっており、押部１３を前後にスライドさせ、ＵＳＢコネクタ１２１をケース１１外に押出したり、ケース１１内に引き戻すことにより、極めて優れた産業上の利用性を具有している。
【０００３】
本考案の考案者は、更なる研究と改良を行い、ＵＳＢコネクタをケース外に押出した時、或いはケース内に引戻した時に安定して固定できるようにした、更に優れた効果を具有する本考案を考案した。
【特許文献１】特開２００３−２８２１７８号公報
【考案の開示】
【考案が解決しようとする課題】
【０００４】
本考案の主な目的は、ＵＳＢコネクタを上蓋と下蓋によって構成される箱体から外に出した時と、箱体内に収納した時、安定して定位される機能を具有する構造を提供することである。
【課題を解決するための手段】
【０００５】
前記課題を解決するために、請求項１の考案は、
上蓋と下蓋と電気回路板とスライド部とを含み、
前期上蓋には、鉤部と鉤受部が設けられており、
前期下蓋には、鉤受部が設けられており、前期鉤受部と上蓋の鉤部とはお互いに掛止されており、
前期電気回路板は、上蓋と下蓋によって構成される箱体の中に設置されており、電気回路板上には、ＵＳＢコネクタが設けられており、
前期スライド部には、掛合部が設けられており、前記掛合部と上蓋の鉤受部とは掛止されており、
上蓋の鉤部と下蓋の鉤受部とが掛止されることにより、上蓋と下蓋はお互いに接合されている  
ことを特徴とするＵＳＢ携帯型メモリ装置である。
【０００６】
請求項２の考案は、前記電気回路上には、ライトプロテクトスイッチが設けられており、前記ライトプロテクトスイッチを操作することにより、データの書き込みを行うか否かを制御できることを特徴とする請求項1に記載のＵＳＢ携帯型メモリ装置である。
【０００７】
請求項３の考案は、前記ライトプロテクトスイッチには、防塵片が設けられており、埃等が電気回路板に侵入することを防ぐことを特徴とする請求項２に記載のＵＳＢ携帯型メモリ装置。
【０００８】
請求項４の考案は、前記上蓋には、定位部が設けられており、上蓋と下蓋によって構成される箱体内にＵＳＢコネクタを引戻して収納する時、前記スライド部と定位部はお互いに掛合し、固定され、それにより、ＵＳＢコネクタは収納後、ぐらついて箱体内から抜け出すことがないことを特徴とする請求項1に記載のＵＳＢ携帯型メモリ装置である。
【０００９】
請求項５の考案は、前記定位部は、定位凸粒であることを特徴とする請求項４に記載のＵＳＢ携帯型メモリ装置である。
【００１０】
請求項６の考案は、前記定位部は、定位弾片であることを特徴とする請求項４に記載のＵＳＢ携帯型メモリ装置である。
【００１１】
請求項７の考案は、前記定位部は、スプリングであることを特徴とする請求項４に記載のＵＳＢ携帯型メモリ装置である。
【００１２】
請求項８の考案は、前記上蓋には、窓口が設けられており、スライド部と電気回路が組立られていることを特徴とする請求項１に記載のＵＳＢ携帯型メモリ装置である。
【００１３】
請求項９の考案は、前記スライド部の掛合部は、弧形を呈しており、それにより、前記掛合部が上蓋の鉤受部に接合されやすいようになっていることを特徴とする請求項１に記載のＵＳＢ携帯型メモリ装置である。
【００１４】
請求項１０の考案は、前記スライド部の掛合部の縦断面は、斜三角形を呈しており、それにより、前記掛合部が上蓋の鉤受部に掛止されやすいようになっていることを特徴とする請求項１に記載のＵＳＢ携帯型メモリ装置である。
【００１５】
請求項１１の考案は、前記スライド部上には、凸粒が設けられており、スライド部を押出す時、前記凸粒により、スライド部との間の摩擦が増加し、容易にスライド部を押出すことができることを特徴とする請求項１に記載のＵＳＢ携帯型メモリ装置である。
【００１６】
請求項１２の考案は、上蓋と下蓋と電気回路板とスライド部とを含み、
前記上蓋には、鉤受部が設けられており、
前記下蓋は、上蓋と接合され、箱体を形成しており、
前記電気回路板は、上蓋と下蓋によって構成される箱体内に設けられており、電気回路板上には、ＵＳＢコネクタが設けられており、
前記スライド部には、掛合部が設けられており、前記掛合部と上蓋の鉤受部とは掛止されており、
スライド部を押出し、ＵＳＢコネクタを上蓋と下蓋によって構成される箱体外に出す時、スライド部上の掛合部と上蓋の鉤受部とがお互いに掛止されることにより、ＵＳＢコネクタは定位され、それにより、ぐらついて上蓋と下蓋によって構成される箱体内に戻ってしまうことを防ぐことができることを特徴とするＵＳＢ携帯型メモリ装置である。
【００１７】
請求項１３の考案は、前記電気回路板には、ライトプロテクトスイッチが設けられており、前記ライトプロテクトスイッチを操作することにより、データの書き込みを行うか否かを制御できることを特徴とする請求項1２に記載のＵＳＢ携帯型メモリ装置である。
【００１８】
請求項１４の考案は、前記ライトプロテクトスイッチには、防塵片が設けられており、埃等が電気回路板に侵入することを防ぐことを特徴とする請求項１３に記載のＵＳＢ携帯型メモリ装置である。
【００１９】
請求項１５の考案は、前記上蓋には、定位部が設けられており、上蓋と下蓋によって構成される箱体内にＵＳＢコネクタを引戻して収納する時、前記スライド部と定位部はお互いに掛合し、固定され、それにより、ＵＳＢコネクタは収納後、ぐらつくことがないことを特徴とする請求項1２に記載のＵＳＢ携帯型メモリ装置である。
【００２０】
請求項１６の考案は、前記定位部は、定位凸粒であることを特徴とする請求項１５に記載のＵＳＢ携帯型メモリ装置である。
【００２１】
請求項１７の考案は、前記定位部は、定位弾片であることを特徴とする請求項１５に記載のＵＳＢ携帯型メモリ装置である。
【００２２】
請求項１８の考案は、前記定位部は、スプリングであることを特徴とする請求項１５に記載のＵＳＢ携帯型メモリ装置である。
【００２３】
請求項１９の考案は、前記上蓋には、窓口が設けられており、スライド部と電気回路が組立られていることを特徴とする請求項１２に記載のＵＳＢ携帯型メモリ装置である。
【００２４】
請求項２０の考案は、前記スライド部の掛合部は、弧形を呈しており、それにより、前記掛合部が上蓋の鉤受部に接合されやすいようになっていることを特徴とする請求項１２に記載のＵＳＢ携帯型メモリ装置である。
【００２５】
請求項２１の考案は、前記スライド部の掛合部の縦断面は、斜三角形を呈しており、それにより、前記掛合部が上蓋の鉤受部に掛止されやすいようになっていることを特徴とする請求項１２に記載のＵＳＢ携帯型メモリ装置である。
【００２６】
請求項２２の考案は、前記スライド部上には、凸粒が設けられており、スライド部を押出す時、前記凸粒により、スライド部との間の摩擦が増加し、容易にスライド部を押出すことができることを特徴とする請求項１２に記載のＵＳＢ携帯型メモリ装置である。
【００２７】
請求項２３の考案は、前記上蓋には、鉤部が設けられており、下蓋と接合する時の利便性を増加させていることを特徴とする請求項１２に記載のＵＳＢ携帯型メモリ装置である。
【００２８】
請求項２４の考案は、前記下蓋には、鉤受部が設けられており、上蓋の鉤部と掛止されていることを特徴とする請求項２３に記載のＵＳＢ携帯型メモリ装置である。
【考案の効果】
【００２９】
本考案により、ＵＳＢコネクタを上蓋と下蓋によって構成される箱体から外に出した時と、箱体内に収納した時、安定して定位できるようになった。
【考案を実施するための最良の形態】
【００３０】
本考案の前記の目的、及び構造と機能上の特性を好適な実施例に沿って説明する。
【実施例１】
【００３１】
本考案のＵＳＢ携帯型メモリ装置は、上蓋２１、下蓋２２、電気回路板２４、スライド部３を含む。
【００３２】
図３，４に示すように、上蓋２１には、鉤部２１１、及び鉤受部２１２が設けられており、上蓋２１には、窓口２１３が設けられており、前記窓口２１３の位置には、板体２１５が設けられており、前記板体２１５上には、定位凸粒２１４が設けられており、下蓋２２には鉤受部２２１が設けられている。
【００３３】
前記上蓋２１と下蓋２２は、お互いに接合し、箱体２を形成しており、前記箱体２は、容室２３を具有しており、前記容室２３の箱体２上には、開口部２３１、２３２が設けられている。
【００３４】
電気回路板２４には、ＵＳＢコネクタ２４１が設けられており、更に、電気回路板２４上には、ライトプロテクトスイッチ２４２、及び凸出部２４３が設けられている。
【００３５】
前記ライトプロテクトスイッチ２４２は、データの書き込みを行うか否かを制御するために用いられ、更に、ライトプロテクトスイッチ２４２上には、防塵片２４４が設けられており、埃等が電気回路板２４に侵入するのを防いでいる。
【００３６】
スライド部３は、押部３１、及び延伸体３２によって構成されており、前記押部３１上には、凸粒３１１が設けられており、スライド部３を押出す時、前記凸粒３１１により、スライド部３との間の摩擦が増加し、容易にスライド部３を押出すことができ、前記延伸体３２には、掛合部３２１、及び貫通孔３２２が設けられており、前記掛合部３２１は弧形で、その縦断面は、斜三角形を呈している。
【００３７】
組立時は、ＵＳＢコネクタ２４１を具有する電気回路板２４を下蓋２２上に設置し、更に上蓋２１の鉤部２１１と下蓋２２の鉤受部２２１を掛合し、固定することにより、箱体２を形成し、電気回路板２４を箱体２の容室２３内に設置し、ライトプロテクトスイッチ２４２の位置に取り付けられた防塵片２４４を容室２３の開口部２３２上に設置し、更に、スライド部３の延伸体３２を上蓋２１の窓口２１３に挿入し、貫通孔３２２を電気回路板２４の凸出部２４３上に嵌入する。
【００３８】
図３，５に示すように、スライド部３を押出し、ＵＳＢコネクタ２４１を箱体２の開口部２３１から出す時、延伸体３２の掛合部３２１弧形を呈しているので、スライド部３を容易に上蓋２１の窓口２１３まで移動させることができる。
【００３９】
図６に示すように、スライド部３の延伸体３２を完全に上蓋２１の窓口２１３に挿入した時、延伸体３２の掛合部３２１は、縦断面が斜三角形を呈しているので、容易に上蓋２１の鉤受部２１２に掛止され、ＵＳＢコネクタ２４１が上蓋２１と下蓋２２によって構成される箱体２の開口部２３１から出た後、安定して定位され、ＵＳＢコネクタ２４１が外からの圧力を受けても、箱体２の容室２３内に戻るのを防ぐことができる。
【００４０】
図７に示すように、スライド部３を引戻した後、スライド部３の押部３１は、上蓋２１の板体２１５上の定位凸粒２１４により固定され、そのために、ＵＳＢコネクタ２４１は、箱体２の容室２３内に収納された後、ぐらついて箱体２の開口部２３１から抜け出すことはない。
【実施例２】
【００４１】
図８は本考案の第二実施例であり、上蓋２１と下蓋２２によって構成される箱体２、ＵＳＢコネクタ２４１を具有する電気回路板２４、及びスライド部３を含み、上蓋２１の板体２１５上には定位弾片４１４が設けられており、スライド部３を動かし、電気回路板２４とＵＳＢコネクタ２４１を動かし、ＵＳＢコネクタ２４１を容室２３内に引戻した時、スライド部３の押部３１は定位弾片４１４により固定され、ＵＳＢコネクタ２４１は、箱体２の容室２３内に収納された後、ぐらついて箱体２の開口部２３１から抜け出すことはない。
【実施例３】
【００４２】
図９，１０は本考案の第三実施例であり、上蓋２１と下蓋２２によって構成される箱体２、ＵＳＢコネクタ２４１を具有する電気回路板２４、及びスライド部３を含み、上蓋２１の鉤部２１１には、容体５が伸びており、前記容体５内には、スプリング６が設けられており、スライド部３の延伸体３２は、上蓋２１の窓口２１３に挿入しており、電気回路板２４と接合されており、延伸体３２の前端はスプリング６を圧迫しており、スライド部３を動かし、ＵＳＢコネクタ２４１を箱体２の開口部２３１から出した時、前記スプリング６は圧力を受け圧縮され、スライド部３を動かし、ＵＳＢコネクタ２４１を箱体２の容室２３に引戻した後、スプリング６の反発力により、スライド部３の延伸体３２は圧迫され、ＵＳＢコネクタ２４１は箱体２の容室２３内に固定される。
【図面の簡単な説明】
【００４３】
【図１】公知構造の立体分解図である。
【図２】公知構造の組立後の様子を示す立体図である。
【図３】本考案の立体分解図である。
【図４】本考案の組立後の様子を示す立体図である。
【図５】本考案の部分的に断面図である俯瞰図である。
【図６】本考案のＵＳＢコネクタを押出した時の断面図である。
【図７】本考案のＵＳＢコネクタを引戻した時の断面図である。
【図８】本考案の第二実施例における断面図である。
【図９】本考案の第三実施例における断面図である。
【図１０】図９におけるＵＳＢコネクタを引戻した時の断面図である。
【符号の説明】
【００４４】
１１    ケース
１１ａ  上部ケース
１１ｂ  下部ケース
１１２  窓口
１２    電気回路板
１２１  ＵＳＢコネクタ
１２２  電子部品
１３    押部
１３１  延伸部
１３２  孔体
２      箱体
２１    上蓋
２１１  鉤部
２１２  鉤受部
２１３  窓口
２１４  定位凸粒
２１５  板体
２２    下蓋
２２１  鉤受部
２３    容室
２３１  開口部
２３２  開口部
２４    電気回路板
２４１  ＵＳＢコネクタ
２４２  ライトプロテクトスイッチ
２４３  凸出部
２４４  防塵片
３      スライド部
３１    押部
３１１  凸粒
３２    延伸体
３２１  掛合部
３２２  貫通孔
４１４  定位弾片
５    容体
６    スプリング
【図１】
0003101295.tif 000003
【図２】
0003101295.tif 000004
【図３】
0003101295.tif 000005
【図４】
0003101295.tif 000006
【図５】
0003101295.tif 000007
【図６】
0003101295.tif 000008
【図７】
0003101295.tif 000009
【図８】
0003101295.tif 000010
【図９】
0003101295.tif 000011
【図１０】
0003101295.tif 000012